(57)【要約】【課題】  デジタルＴＶ放送受信機能を有する携帯通信端末において、視聴中の番組が、電波状況、バッテリの消耗、第三者からの着信などの要因により、視聴したい番組を見ることが出来なくなった場合に、見られなかった部分を再視聴できるとともに、見られなかった部分の検索を容易に行える手段を提供する。【解決手段】  デジタルＴＶ放送受信機能を有する携帯通信端末において番組を視聴する際、外部の録画機器で同時に当該番組を録画するように制御し、かつ、この携帯通信端末に視聴したい番組を見ることが出来なくなった場合に、見られなくなった時刻および番組情報を記憶する視聴履歴記録部を備える構成とし、見られなかった部分を再視聴する際、この視聴履歴記録部の記録に基づいて見られなかった部分を再生するよう録画機器を制御する。【選択図】          図１
2007005986.tif 000002
【特許請求の範囲】
【請求項１】
デジタルＴＶ放送を受信するデジタルＴＶ放送受信部と、
このデジタルＴＶ放送の受信信号から視聴番組の番組情報を抽出する視聴番組情報取得部と、
受信したデジタルＴＶ放送信号を再生するスピーカおよびディスプレイと、
外部から入力された視聴予約指示の時刻、または視聴開始指示の時刻にあわせて、前記デジタルＴＶ放送信号を受信するよう前記デジタルＴＶ放送受信部を制御する制御部と、
前記外部から入力された視聴予約指示、または視聴開始指示に基づき、外部の録画機器への視聴番組の録画指示データを作成する視聴番組録画データ作成部と、
この作成した視聴番組の録画指示データに基づき、前記外部の録画機器に録画指示を通信回線を介して送信する通信送受信部と、
前記デジタルＴＶの受信が中断された場合に、中断されたタイミングの時刻情報を前記番組情報と関連付けて視聴履歴として記憶する視聴履歴記録部と、
前記視聴履歴記録部から番組の視聴履歴に基づいて前記中断された部分の再生を行うよう前記外部の録画機器の制御データを生成する録画機器制御データ生成部と、
前記録画機器の制御データを、前記外部の録画機器に送信する録画機器送受信部とを更に備えたことを特徴とする記載の携帯通信端末。
【請求項２】
デジタルＴＶ放送を受信するデジタルＴＶ放送受信部と、
このデジタルＴＶ放送の受信信号から番組情報を抽出する視聴番組情報取得部と、
音声および映像を再生するスピーカおよびディスプレイと、
外部から入力された視聴予約指示の時刻、または視聴開始指示にあわせて指示されたデジタルＴＶ放送信号を受信するよう前記デジタルＴＶ放送受信部を制御する制御部と、
前記外部から入力された視聴予約指示または視聴開始指示に基づき、外部の録画機器への視聴番組の録画指示データを作成する視聴番組録画データ作成部と、
この作成した視聴番組の録画指示データに基づき、前記外部の録画機器に録画指示を通信回線を介して送信する通信送受信部と、
前記デジタルＴＶの視聴が中断された場合に、中断されたタイミングの時刻情報を前記番組情報と関連付けて視聴履歴として記憶する視聴履歴記録部と、
この視聴履歴記録部から番組の視聴履歴を読み出し、この視聴履歴に基づいて前記中断された部分の再生を行うよう前記外部の録画機器の制御データを生成する録画機器制御データ生成部と、
前記録画機器の制御データを前記外部の録画機器に送信する録画機器送受信部と有する携帯通信端末と、
前記外部の録画機器であって、
デジタルＴＶ放送を受信するデジタルＴＶ放送受信部と、
前記携帯通信端末の前記通信送受信部と通信回線を介して信号の送受信を行う送受信部と、
前記携帯通信端末からの前記録画指示に基づき録画動作開始を制御する録画予約制御部と、
この録画予約制御部の制御に従って、前記デジタルＴＶ放送受信部が受信したデジタルＴＶ放送信号を記憶する記憶部と、
前記携帯通信端末の制御信号送受信部からの制御データの送受信を行う録画機器送受信部と、
前記記憶されたデジタルＴＶ放送信号を出力する出力部とを有する録画機器とを備えたことを特徴とするデジタルＴＶ視聴システム。
【請求項３】
デジタルＴＶ放送を受信するデジタルＴＶ放送受信部と、
このデジタルＴＶ放送の受信信号から番組情報を抽出する視聴番組情報取得部と、
前記デジタルＴＶ放送の受信信号を再生するスピーカおよびディスプレイと、
外部から入力された視聴予約指示の時刻、または視聴開始指示にあわせて指示されたデジタルＴＶ放送信号を受信するよう前記デジタルＴＶ放送受信部を制御する制御部と、
前記外部から入力された視聴予約指示または視聴開始指示に基づき、外部の録画機器への視聴番組の録画指示データを作成する視聴番組録画データ作成部と、
この作成した視聴番組の録画指示データに基づいた前記外部の録画機器への録画指示、および、前記デジタルＴＶ放送の受信が中断された場合に中断されたタイミングの時刻情報を番組情報と関連付けた視聴履歴を、通信回線を介して送信する通信送受信部とを備えたことを特徴とする携帯通信端末。
【請求項４】
デジタルＴＶ放送を受信するデジタルＴＶ放送受信部と、
このデジタルＴＶ放送の受信信号から番組情報を抽出する視聴番組情報取得部と、
前記デジタルＴＶ放送の受信信号を再生するスピーカおよびディスプレイと、
外部から入力された視聴予約指示の時刻、または視聴開始指示にあわせて指示されたデジタルＴＶ放送信号を受信するよう前記デジタルＴＶ放送受信部を制御する制御部と、
前記外部から入力された視聴予約指示または視聴開始指示に基づき、外部の録画機器への視聴番組の録画指示データを作成する視聴番組録画データ作成部と、
この作成した視聴番組の録画指示データに基づいた前記外部の録画機器への録画指示、および、前記デジタルＴＶ放送の受信が中断された場合に中断されたタイミングの時刻情報を前記番組情報と関連付けた視聴履歴を、通信回線を介して送信する通信送受信部と有する携帯通信端末と、
前記外部の録画機器であって、
デジタルＴＶ放送を受信するデジタルＴＶ放送受信部と、
前記携帯通信端末の前記通信送受信部と通信回線を介して信号の送受信を行う送受信部と、
前記携帯通信端末からの前記録画指示に基づき録画動作開始を制御する録画予約制御部と、
前記携帯通信端末の前記視聴番組情報取得部からの視聴番組の番組情報と視聴が中断された場合に中断されたタイミングの時刻情報を前記番組情報と関連付けた視聴履歴を記録する視聴記録部と、
この録画予約制御部の制御に従って、前記デジタルＴＶ放送受信部が受信したデジタルＴＶ放送信号を記憶する記憶部と、
外部からの指令に応じて、前記視聴記録部から番組の視聴履歴を読み出し、この視聴履歴に基づいて前記中断された部分の出力を行うよう前記記憶部を制御する制御部と、
前記記憶部から出力したデジタルＴＶ放送信号を外部に出力する出力部と、
を有する録画機器とを備えたことを特徴とするデジタルＴＶ視聴システム。
【請求項５】
デジタルＴＶ放送を受信するデジタルＴＶ放送受信部と、
外部の携帯通信端末と通信回線を介して信号の送受信を行う送受信部と、
前記携帯通信端末から送信された録画指示に基づき録画動作開始を制御する録画予約制御部と、
前記携帯通信端末から送信された視聴番組の番組情報と視聴が中断された場合に中断されたタイミングの時刻情報を前記番組情報と関連付けた視聴履歴を記録する視聴記録部と、
この録画予約制御部の制御に従って、前記デジタルＴＶ放送受信部が受信したデジタルＴＶ放送信号を記憶する記憶部と、
外部からの指令に応じて、前記視聴記録部から番組の視聴履歴を読み出し、この視聴履歴に基づいて前記中断された部分の出力を行うよう前記記憶部を制御する制御部と、
前記記憶部から出力したデジタルＴＶ放送信号を外部に出力する出力部と、
を有することを特徴とする録画機器。
【発明の詳細な説明】
【技術分野】
【０００１】
本発明は、デジタルＴＶ放送受信機能を有する携帯通信端末に適用するものである。
【背景技術】
【０００２】
従来のデジタルＴＶ放送受信機能付き携帯通信端末においては、何らかの外的要因にて番組の視聴が不可能となった場合の代替手段を提供していない、もしくは、限定された状況下（受信電波状況の悪化）によって不可能になった場合にのみ代替手段を提供して継続視聴を可能とする構成となっていて、携帯通信端末のバッテリの消耗、第三者からの着信によって視聴できなくなるという状況下においては対応できないという問題があった（特許文献１）。
【０００３】
【特許文献１】特開２００４−４０３８０号公報
【発明の開示】
【発明が解決しようとする課題】
【０００４】
従来のデジタルＴＶ放送受信機能付き携帯通信端末は以上のように構成されているので、例えば、バッテリの消耗、第三者からの着信などの外的要因により、視聴したい番組が視聴できない状況下になった場合、対応できなかった。
【０００５】
本発明は、上記のような問題点を解決するためになされたものであり、デジタルＴＶ放送受信機能付き携帯通信端末において視聴中の番組が、バッテリの消耗、第三者からの着信などの要因により、視聴したい番組を見ることが出来なくなった場合に、見られなかった部分を再視聴できるとともに、見られなかった部分の検索を容易に行える手段を提供することを目的とする。
【課題を解決するための手段】
【０００６】
デジタルＴＶ放送を受信するデジタルＴＶ放送受信部と、このデジタルＴＶ放送の受信信号から視聴番組の番組情報を抽出する視聴番組情報取得部と、受信したデジタルＴＶ放送信号を再生するスピーカおよびディスプレイと、外部から入力された視聴予約指示、または視聴開始指示の時刻にあわせて、前記デジタルＴＶ放送信号を受信するよう前記デジタルＴＶ放送受信部を制御する制御部と、前記外部から入力された視聴予約指示の時刻、または視聴開始指示に基づき、外部の録画機器への視聴番組の録画指示データを作成する視聴番組録画データ作成部と、この作成した視聴番組の録画指示データに基づき、前記外部の録画機器に録画指示を通信回線を介して送信する通信送受信部と、前記デジタルＴＶの受信が中断された場合に、中断されたタイミングの時刻情報を前記番組情報と関連付けて視聴履歴として記憶する視聴履歴記録部と、前記視聴履歴記録部から番組の視聴履歴に基づいて前記中断された部分の再生を行うよう前記外部の録画機器の制御データを生成する録画機器制御データ生成部と、前記録画機器の制御データを、前記外部の録画機器に送信する録画機器送受信部とを更に備えたものである。
【発明の効果】
【０００７】
本発明によれば、デジタルＴＶ放送を受信するデジタルＴＶ放送受信部と、このデジタルＴＶ放送の受信信号から視聴番組の番組情報を抽出する視聴番組情報取得部と、受信したデジタルＴＶ放送信号を再生するスピーカおよびディスプレイと、外部から入力された視聴予約指示の時刻、または視聴開始指示の時刻にあわせて、前記デジタルＴＶ放送信号を受信するよう前記デジタルＴＶ放送受信部を制御する制御部と、前記外部から入力された視聴予約指示、または視聴開始指示に基づき、外部の録画機器への視聴番組の録画指示データを作成する視聴番組録画データ作成部と、この作成した視聴番組の録画指示データに基づき、前記外部の録画機器に録画指示を通信回線を介して送信する通信送受信部と、前記デジタルＴＶの受信が中断された場合に、中断されたタイミングの時刻情報を前記番組情報と関連付けて視聴履歴として記憶する視聴履歴記録部と、前記視聴履歴記録部から番組の視聴履歴に基づいて前記中断された部分の再生を行うよう前記外部の録画機器の制御データを生成する録画機器制御データ生成部と、前記録画機器の制御データを、前記外部の録画機器に送信する録画機器送受信部とを更に備えたデジタルＴＶ放送受信機能付き携帯通信端末にて、視聴予約した番組、および予約無しに視聴した番組を、自宅等にある使用者が所有のデジタルＴＶ放送録画機器に対して同一番組の録画指示をユーザ操作無しに行えるようにすることでデジタルＴＶ放送受信機能付き携帯通信端末での視聴中に、電波状況、バッテリの消耗、第三者からの着信などにより中断されても、視聴できなかった番組をデジタルＴＶ放送録画機器により録画し、別途、視聴可能となり、かつ、視聴できなかった場面を容易に視聴することが可能になるという効果がある。
【発明を実施するための最良の形態】
【０００８】
実施の形態１．
以下、本発明の実施の形態１について説明する。図１は本発明に係る通信システムの構成を示す図である。また、図２は携帯通信端末１０の構成を示すブロック図である。
本発明に係る通信システムは、図１に示したように、デジタルＴＶ放送受信機能付き携帯通信端末１０と、放送局２０、自宅などにある録画機器３０、録画機器３０と携帯通信端末１０の間の通信を行うネットワーク４０からなる。
【０００９】
携帯通信端末１０は、デジタルＴＶ受信機能を有する他、通常の携帯電話回線での無線通信機能を有するものであり、いわゆる携帯電話、ＰＨＳ、ＰＤＡなどの移動体通信端末や携帯型情報端末に相当するものである。放送局２０は地上波デジタル放送、または、衛星デジタル放送により映像、音声、データなどのデジタル情報を放送回線により伝送する放送システム全体を意味する。また、録画機器３０は、自宅などに設けられ、デジタルＴＶを録画することができ、かつ、ネットワークに接続できデータ通信を行うことが出来る機器である。さらに、ネットワーク４０は、録画機器３０と携帯通信端末１０間のデータ通信を行うための、ネットワーク（インターネット）である。
【００１０】
図２に示した通り、携帯通信端末１０は、放送受信アンテナ１０１と、放送受信部１１２と放送受信管理部１１１と視聴番組取得部１１３と制御部１１０を有する。放送受信部１１２は放送受信アンテナ１０１で受信した放送局２０からのデジタル放送信号を復調する放送受信装置を含み、復調された放送信号からユーザが選択した番組に関するパケット信号を抽出する。また、放送受信管理部１１１は放送受信部１１２で受信した放送信号の受信状況（電波状況）を判定する機能を有する。放送受信管理部１１１は、放送信号の受信レベルを抽出し、放送信号の電界強度や受信信号のＳ／Ｎ比などにより当該受信レベルを数値化し、視聴可能か否かのレベル判定を行い、視聴不可能となった際に、制御部１１０に通知を行う。制御部１１０では内部に持っている記憶部１１０ａに受信情報を一旦記録して、その記憶部１１０ａからデータを取り出して復号部１０９に送っているが、特に映像の表示に関する処理は行っていない。そのため、放送受信部１１２から直接復号部１０９に受信情報を送信する構成としてもよい。
【００１１】
視聴番組取得部１１３は、放送受信部１１２で受信した信号から現在視聴している番組の識別情報（番組名、チャンネルなど）を抽出し、視聴番組の表示などを行うために制御部１１０に出力する。制御部１１０は、放送受信管理部１１１からの視聴不可状況の判断を行い、その情報を整理、処理して、視聴履歴記録部１１４に通知する。視聴履歴記録部１１４は、制御部１１０から通知された、視聴中断情報、番組識別情報及び時刻情報を整理し記憶を行う。この記憶した情報を元にリモコン操作データ作成部１１５にて自宅などに設置された録画機器３０の制御を行うためのデータを生成する。この生成したデータを赤外線送受信部１１６を介して録画機器３０に送信することで、録画機器３０の再生の制御を行う際、携帯通信端末１０をリモートコントローラとして用いる。
【００１２】
携帯通信端末１０はさらに、スピーカ１０７、ディスプレイ１０８および復号部１０９を有する。復号部１０９は、記憶部１１０ａから出力される信号を音声信号や映像信号に復号し、復号した音声信号をスピーカ１０７に出力し、映像信号をディスプレイ１０８に出力する。
また、携帯通信端末１０は、操作部１０２と、視聴予約制御部１０３と、視聴番組録画制御部１０４と、通信送受信部１０６とを有する。操作部１０２にて視聴予約、もしくは視聴開始操作が行われると、その操作情報が制御部１１０に伝わり、この操作情報に応じて視聴予約の操作内容や予約結果を示すためのディスプレイ１０８への表示動作を行い、視聴開始操作の場合には視聴を指示された番組の受信を開始し、ディスプレイ１０８への映像の表示を行う。また、その情報を視聴予約制御部１０３に通知し、その視聴予約、もしくは視聴開始データを生成し、視聴番組録画制御部１０４に通知し、視聴番組録画制御部１０４で自宅等に設置された録画機器３０への録画予約、もしくは録画開始データを生成して、通信送受信部１０６で無線信号に変換し、通信用アンテナ１００、ネットワーク４０を介して、録画機器３０へ送信し、録画機器３０での録画制御を行う。通信送受信部１０６では、基地局（図示せず）と正常に接続できているかを監視し、基地局と正常に接続できる状態になった時点で再送するか、あるいは、所定の時間間隔ごとに送信をリトライして送信が完了するまで繰り返す。
【００１３】
図３は録画機器３０の構成を示すブロック図である。録画機器３０には、放送受信アンテナ３０１と、放送受信部３１０と放送受信管理部３０９と視聴番組取得部３１１と制御部３０８を有する。放送受信部３１０は放送受信アンテナ３０１で受信した放送局２０からのデジタル放送信号を復調する放送受信装置を含み、復調された放送信号からユーザが選択した番組に関するパケット信号を抽出する。また、放送受信管理部３０９は放送受信部３１０で受信した放送信号の受信状況（電波状況）を判定する機能を有する。放送受信管理部３０９は、放送信号の受信レベルを抽出し、放送信号の電界強度や受信信号のＳ／Ｎ比などにより当該受信レベルを数値化し、視聴可能か否かのレベル判定を行い、視聴不可能となった際に、制御部３０８に通知を行う。録画の際は、制御部３０８では内部に持っている記憶部３０８ａに受信情報を記録する。また、録画した番組の再生の際は、記憶部３０８ａからデータを取り出して復号部３０７に送る。
視聴番組取得部３１１は、放送受信部３１０で受信した信号から現在視聴している番組の番組情報を抽出し、制御部３０８に出力する。制御信号３０８では、この識別信号を受信情報とともに記憶部３０８aに記録する。
【００１４】
録画機器３０はさらに、映像出力部３０５、音声出力部３０６、および、復号部３０７を有する。復号部３０７は、記憶部３０８ａから送られてくる録画データを映像および音声信号に復号し、復号した映像信号を映像出力部３０５に出力し、音声信号を音声出力部３０６に出力する。また、録画機器３０は、通信アンテナ３００、操作部３０２、録画予約制御部３０３、および、通信送受信部３０４を有する。通信アンテナ３００はネットワーク４０との無線接続を行うものであるが、有線で接続される場合は通信アンテナ３００は不要である。通信送受信部３０４は、通信アンテナ３００に接続され、ネットワーク４０を介して外部の携帯通信端末１０との送受信を行う。操作部３０２は携帯通信端末１０を介さず、録画機器３０単体で録画を行う場合に録画予約を入力等を行うためのものである。その情報は録画予約制御部３０３に通知され、録画予約制御部３０３にて、録画予約処理を行い、録画予約スタンバイ状態（予約された時間に録画開始できる状態）とする。
【００１５】
携帯通信端末１０において視聴予約あるいは視聴開始操作がなされると、視聴予約の場合は、生成された録画予約データは録画機器３０に向けて送信される。この録画予約データは、通信アンテナ３００を介して、通信送受信部３０４で受信され、録画予約制御部３０３に通知される。録画予約制御部３０３では、受信した録画予約データを元に、録画機器３０の録画予約処理を行い、録画予約スタンバイ状態とする。そして、正しく録画予約処理が完了したタイミングで、録画予約制御部３０３では、予約完了データを生成し、通信送受信部３０４、通信アンテナ３００、ネットワーク４０を介して携帯通信端末１０に通知を行う。また、録画開始時刻になったら制御部３０８の制御により、放送受信部３１０で受信された放送信号を記憶部３０８ａにて記憶する。なお、視聴開始操作の場合は、録画予約データではなく、即時に録画開始データが録画機器３０に送信され、制御部３０８の制御により、放送受信部３１０で受信された放送信号を記憶部３０８ａに記憶を開始する。
【００１６】
（視聴予約の入力）
図４は、視聴予約入力時の動作フローを示した図である。携帯通信端末１０にて視聴予約を行う場合、操作部１０２からの操作にて、視聴予約を行う（Ｓ２）と、視聴予約制御部１０３において視聴予約データ（番組名、チャンネル、開始時間、終了時間などのデータ）を記憶する。その際、その視聴予約データを、視聴番組録画制御部１０４に通知し、視聴番組録画制御部１０４にて視聴予約データの解析を行い（Ｓ３）、録画予約データの生成を行う（Ｓ４）。録画予約データとは録画機器３０での録画予約を行うためのデータであり、録画機器３０において解釈可能なフォーマットのデータのことである。さらに視聴番組録画制御部１０４では、この録画予約データを記憶するとともに、通信送受信部１０６を制御し、ネットワーク４０を介して、録画予約データを自宅に設置された録画機器３０へ送信する（Ｓ５）。
【００１７】
この録画予約データは録画機器３０において、通信アンテナ３００を介して通信送受信部３０４にて受信し、録画予約制御部３０３に出力される。録画予約制御部３０３では、録画予約データを解析し、録画するチャンネルおよび時間帯を特定して、制御部３０８に通知する。制御部３０８では録画予約制御部３０３からの通知に基づいて録画予約制御を行い、録画予約スタンバイ状態にして録画予約制御部３０３に通知する。この通知により録画機器３０が正常に録画予約スタンバイ状態となったことを認識した録画予約制御部３０３は、予約完了データを生成し、この予約完了データを通信送受信部３０４に出力し、通信送受信部３０４ではネットワーク４０を介して送信可能なフォーマットに変換して、通信アンテナ３００から送信する。
【００１８】
そして、携帯通信端末１０では、録画機器３０からの予約完了データの受信を待って、通信送受信部１０６にて受信をする（Ｓ６）と、この予約完了データを視聴番組録画制御部１０４に通知し、通知を受けた視聴番組録画制御部１０４では、予約完了を画面に表示するための視聴予約表示データ（チャンネル、番組名、時間など）を制御部１１０に通知する。制御部１１０では受信した視聴予約表示データを元に、画面に表示するデータを生成し、ディスプレイ１０８にて予約完了表示を行うことで、視聴予約した番組と同一の番組の録画予約の設定が完了する（Ｓ７）。携帯通信端末１０と録画機器３０との通信はネットワーク４０を介して行うので、ネットワーク４０がインターネットである場合には、例えば、携帯通信端末１０には予め録画機器３０のメールアドレスを記憶させておき、録画予約の際に、このメールアドレスを用いる。その他、回線交換で接続するのであれば、メールアドレスの代わりに電話番号であってもよい。
【００１９】
（視聴予約した場合の視聴開始動作）
視聴予約された時刻になると、携帯通信端末１０において、視聴予約制御部１０３から、視聴予約データが制御部１１０に通知され、制御部１１０では受け取ったデータを元に、予約された番組を受信しディスプレイ１０８での表示、スピーカ１０７での音の鳴動を開始する。さらに、このタイミングで、視聴を開始したことを記録するために時刻情報、番組情報を制御部１１０から、視聴履歴記録部１１４へ通知する。視聴履歴記録部１１４では、この情報を記憶する。
なお、電池が消耗していることで電源制御部１１７から制御部１１０に通知があった場合や、放送信号の受信レベルが弱いことにより放送受信管理部１１１から制御部１１０に通知があったことにより視聴が開始できなかった場合には、視聴履歴記録部１１４では記録を行わない。その場合、後で自宅等で録画機器３０を再生して当該番組を再視聴する際、視聴予約してある番組の視聴開始の記録がないことで、視聴できなかったと制御部１１０が判断する。そして、再視聴時に録画機器３０で全て再生するようリモコン操作データ作成部１１５にて録画機器３０の制御データを作成することになる。
また、上記と同様の手順で、視聴終了時も動作し、視聴履歴記録部１１４にて視聴停止の記録を行う。
一方、録画機器３０においても、上記の通り、視聴予約入力時に設定された録画予約に基づいて同時刻に録画を開始し、設定された時刻で録画を停止する。録画されたデータは記憶部３０８ａにて記憶される。
【００２０】
（視聴中の動作）
番組視聴中に何らかの要因により、視聴が中断された場合の処理について説明する。
視聴中断の要因としては、放送信号の受信状況の悪化や電池の消耗、ユーザ操作、電話の着信などがある。例えば、受信状況の悪化により視聴が中断される場合、放送受信管理部１１１にて放送信号の受信レベルを抽出し放送信号の電界強度や受信信号のＳ／Ｎ比などにより当該受信レベルを数値化し、視聴可能か否かのレベル判定を行い、視聴不可能と判断すると、視聴不能状態の情報を制御部１１０に通知し、制御部１１０では、その情報と視聴番組取得部１１３から得ておいた番組情報から視聴できなかった時刻情報と番組情報とを視聴履歴記録部１１４に通知する。視聴履歴記録部１１４では、制御部１１０から通知された情報を時系列的に記録する。
【００２１】
また、別の要因として、第三者からの回線交換での着信を受けると、通信送受信部１０６から制御部１１０に着信があったことを通知し、制御部１１０では、その情報と視聴番組取得部１１３から得ておいた番組情報から視聴ができなかった時刻情報、番組情報を生成し、視聴履歴記録部１１４に通知する。視聴履歴記録部１１４では、制御部１１０から通知された情報を時系列的に記録する。
【００２２】
さらに、電源制御部１１７において、携帯通信端末１０にてデジタルＴＶ視聴動作が不可能となる電池残量を検出すると、その情報を制御部１１０に通知し、制御部１１０では、その情報と視聴番組取得部１１３から得ておいた番組情報から視聴できなかった時刻情報、番組情報を生成し、視聴履歴記録部１１４に通知する。視聴履歴記録部１１４では、制御部１１０から通知された情報を時系列的に記憶する。
【００２３】
上記の視聴を妨げる要因が除去され、例えば、放送信号の受信状況が改善され、受信信号のＳ／Ｎ比が視聴可能レベルに戻った場合、放送受信管理部１１１から制御部１１０に視聴可能状態である情報を通知し、制御部１１０では、その情報と視聴番組取得部１１３から得ておいた番組情報から時刻情報、番組情報を生成し、再び視聴履歴記録部１１４に通知する。視聴履歴記録部１１４では、視聴が再開されたタイミングにおいて、制御部１１０から通知された情報を時系列的に記録する。その他、第三者からの着信終了、電池充電等により視聴が再開された場合も、上記と同様に制御部１１０から視聴再開の時刻情報、番組情報を視聴履歴記録部１１４に通知し、視聴履歴記録部１１４において通知された情報を時系列的に記録する。
【００２４】
（予約無し視聴開始および終了時の動作）
図５は予約が無い場合の視聴開始時の動作フローを示した図である。特に予約をせずに携帯通信端末１０にて視聴を行う場合、操作部１０２から視聴開始の操作が入力されると（Ｓ１１）、入力された情報を視聴予約制御部１０３にて解析し、視聴開始データの生成を行う（Ｓ１２）。このデータを視聴番組録画制御部１０４に通知し、視聴番組録画制御部１０４ではこのデータを使用して、録画機器３０の録画開始データを生成する（Ｓ１３）。さらに視聴番組録画制御部１０４は、通信送受信部１０６を制御し、ネットワーク４０を介して、この録画開始データを録画機器３０へ送信する（Ｓ１４）。このデータを通信受信した録画機器３０は、受信した情報に基づいて、録画予約制御部３０３にて録画指示データを生成し、制御部３０８に通知し、制御部３０８では通知された録画指示データに基づき放送受信部３１０で受信した指定の番組の放送信号を記憶部３０８ａにて記憶動作を開始する。さらに録画予約制御部３０３は、制御部３０８から記憶部３０８ａの記憶動作が正常に開始されたことの通知を受けて録画開始処理完了データを生成し、通信送受信部３０４で送信できる形態に変調し、通信アンテナ３００からネットワーク４０を介して携帯通信端末１０に送信する。携帯通信端末１０は、録画機器３０からの録画開始処理完了データを受信し（Ｓ１５）、この受信データを通信送受信部１０６、視聴番組録画制御部１０４を介して制御部１１０に通知し、制御部１１０では受信したこの受信データを元に、画面に表示するデータを生成し、ディスプレイ１０８にて録画機器３０が録画を開始したことを表示する（Ｓ１６）ことで、ユーザに録画を開始したことを通知する。さらに、視聴を開始したタイミングを記録するために時刻情報、番組情報を制御部１１０から、視聴履歴記録部１１４へ通知する。視聴履歴記録部１１４では、この情報を時系列的に記録する。
【００２５】
次に、視聴終了時の動作について図６を参照しながら説明する。図６は視聴終了時の動作を示すフローチャートである。操作部１０２から視聴終了の操作が行われると（Ｓ２１）、視聴予約制御部１０３から視聴終了データの生成を行う（Ｓ２２）。このデータは視聴番組録画制御部１０４に通知され、視聴番組録画制御部１０４では、このデータを使用して、通信送受信部１０６を制御し、ネットワーク４０を介して、録画機器３０へ送信する（Ｓ２３）。このデータを受信した録画機器３０は、受信した情報に基づいて、録画予約制御部３０３にて録画停止データを生成し、制御部３０８に通知する。制御３０８では通知された録画停止データに基づき記憶部３０８ａの放送信号の記憶動作の停止処理を行い、指定の番組の録画を停止する。この記憶動作の停止が正常に終了したことを制御部３０８からつうちされた録画予約制御部３０３は、録画終了処理完了データを生成し、通信送受信部３０４を制御して携帯通信端末１０に送信する。携帯通信端末１０は、録画機器３０からの録画終了処理完了データを通信送受信部１０６にて受信し（Ｓ２４）、視聴番組録画制御部１０４でこの録画終了処理完了データが通知されると、正常に録画終了処理が完了したことを制御部１１０に通知する。
制御部１１０ではディスプレイ１０８にて録画機器３０の録画終了処理が完了したことを示すデータを生成し、ディスプレイ１０８にて表示を行うことでユーザに録画を停止したことを通知する（Ｓ２５）。さらに視聴を停止したタイミングを記録するために時刻情報、番組情報を制御部１１０から、視聴履歴記録部１１４へ通知する。視聴履歴記録部１１４では、この情報を時系列的に記録する。
なお、予約なしでの視聴中に、受信状況の悪化や、第三者からの着信等で視聴ができない時間が生じた場合も、制御部１１０から視聴履歴記録部１１４へ通知を行い、視聴履歴記録部１１４では、この情報を時系列的に記録する。
また、この視聴できない時間の間に、視聴すべき番組等が終わってしまった場合は、受信レベルの低下、第三者からの着信、電源の復旧等からの回復を待って録画機器３０に録画を終了する指令を送信する。録画停止指令を受信した録画機器３０は、指令に基づいて録画を停止する。
さらに、録画停止指令が電波状況の悪化等により録画機器３０に到達しない場合には、通信送受信部１０６にて基地局（図示せず）と正常に接続できているかを監視し、基地局と正常に接続できる状態になった時点で再送するか、あるいは、所定の時間間隔ごとに送信をリトライして送信が完了するまで繰り返すなど行って停止させる。
【００２６】
（再視聴時における録画機器の再生制御動作）
部分的あるいは全部について視聴を行うことが出来なかった番組を、録画機器３０にて再視聴を行う際、携帯通信端末１０を録画機器３０のリモコンとして用いる。そのため、操作部１０２から、番組の再生指示が入力されると、その入力情報が制御部１１０に通知される。その入力情報に基づき、制御部１１０では、リモコン操作データ生成部１１５を制御する。リモコン操作データ生成部１１５では、視聴番組録画制御部１０４に記録されている録画予約データ、および、視聴履歴記録部１１４に記録されている視聴できなかった時刻情報、番組情報を元に、見ることの出来なかった場面への頭だしなどの録画機器３０の制御データを生成する。この制御データは赤外線送受信部１１６を介して録画機器３０に送信され、録画機器３０の赤外線送受信部３１３にて受信される。受信された制御データは、リモコン制御部３１２に通知され、リモコン制御部３１２にて解析し、再生すべき番組および視聴ができなかった箇所を特定し、制御部３０８に通知する。制御部３０８は、この特定箇所を記憶部３０８ａから読み出して復号部３０７へと送出し、復号部３０７にて復号し、再生動作を行う。
なお、視聴履歴記録部１１４に視聴予約してある番組の視聴開始の記録がない場合は、視聴できなかったと制御部１１０が判断して、録画機器３０で全て再生するようリモコン操作データ作成部１１５にて録画機器３０の制御データを作成することになる。
【００２７】
実施の形態２．
上記実施の形態１では、デジタルＴＶ受信機能を有する携帯通信端末１０での視聴履歴を携帯通信端末１０内に記憶するようにしているが、その他にも、録画機器３０に視聴履歴データを送信することで、録画機器３０内で記録を行い、再生の際に録画機器３０単独で行うことができる場合について説明する。
【００２８】
図７は、本実施の形態２の携帯通信端末１０の構成を表すブロック図である。図２で示した構成要素と同じものには同一符号を付す。上記実施の形態１の携帯通信端末１０と比べて、視聴履歴記録部１１４、リモコン操作データ作成部１１５、赤外線送受信部１１６を備えていない。一方、図８は、本実施の形態２の録画機器３０の構成を表すブロック図である。図３で示した構成要素と同じものには同一符号を付す。実施の形態１の録画機器３０と比べて、録画予約制御部３０３の代わりに録画予約制御・視聴記録部３１５を備えている。
【００２９】
（視聴予約した場合の視聴開始の動作）
視聴予約された時刻になると、視聴予約制御部１０３から、視聴予約データが制御部１１０に通知され、制御部１１０では受け取ったデータに基づいて、予約された番組を受信し、ディスプレイ１０８での表示、スピーカ１０７での音の鳴動を開始する。さらに、その際、制御部１１０から視聴番組録画・視聴履歴データ作成部１１８へ時刻情報、および番組情報を通知する。視聴番組録画・視聴履歴データ作成部１１８では、この情報に基づいて録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して録画機器３０へ送信する。録画機器３０は、受信データを通信送受信部３０４を経由して、録画予約制御・視聴記録部３１５で受け取り、記録する。なお、電池の消耗や、放送信号の受信レベルが弱いなどの原因により、視聴が開始できなかった場合には、録画機器３０へのデータ送信は行わない。録画機器３０にて録画予約してある番組の視聴開始記録がなかったことで、視聴ができなかったと判断し、再視聴の際には番組の最初から再生する。
【００３０】
（視聴中の動作）
番組視聴中に、放送信号の受信状況が悪化すると、携帯通信端末１０内の放送受信管理部１１１にて放送信号の受信レベルを抽出し、放送信号の電界強度や受信信号のＳ／Ｎ比などにより当該受信レベルを数値化し、視聴可能か否かのレベル判定を行い、視聴不可能と判断すると、その情報を制御部１１０に通知する。制御部１１０では、その情報と視聴番組取得部１１３から得ておいた番組情報とから視聴できなかった時刻情報、番組情報を生成し、視聴番組録画・視聴履歴データ作成部１１８へ通知する。視聴番組録画・視聴履歴データ作成部１１８では、この情報を元に録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して録画機器３０へ送信する。視聴履歴データを受信した録画機器３０は、受信データを通信送受信部３０４を経由して、録画予約制御・視聴記録部３１５で受け取り、記録する。
【００３１】
また、別の要因として、電池の残量が少なくなった場合の動作について説明する。電源制御部１１７において、携帯通信端末１０のデジタルＴＶ視聴動作が不可能となる電池残量を検出すると、その情報を制御部１１０に通知し、制御部１１０では、その情報と視聴番組取得部１１３から得ておいた番組情報とから時刻情報、番組情報を生成し、視聴番組録画・視聴履歴データ作成部１１８へ通知する。視聴番組録画・視聴履歴データ作成部１１８では、この情報を元に録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して、録画機器３０へ送信する。視聴履歴データを受信した録画機器３０は、受信データを通信送受信部３０４を経由して、録画予約制御・視聴記録部３１５で受け取り、記録する。
【００３２】
さらに、また別の要因として、第三者からの回線交換での着信を受けると、通信送受信部１０６から制御部１１０に着信があったことを通知し、制御部１１０では、その情報と視聴番組取得部１１３から得ておいた番組情報とから視聴できなかった時刻情報、番組情報を生成し、視聴番組録画・視聴履歴データ作成部１１８へ通知する。視聴番組録画・視聴履歴データ作成部１１８では、この情報を元に録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して録画機器３０へ送信する。視聴履歴データを受信した録画機器３０は、受信データを通信送受信部３０４を経由して、録画予約制御・視聴記録部３１５で受け取り記録する。
【００３３】
さらに、上記のような妨害要因が無くなり、視聴が再開された場合は、それぞれ放送受信管理部１１１、電源制御部１１７、通信送受信部１０６から制御部１１０へ視聴が可能であることを通知し、制御部１１０では、その通知に基づいて視聴を再開する。さらに、その際、時刻情報や番組情報を生成し、視聴番組録画・視聴履歴データ作成部１１８へ通知する。視聴番組録画・視聴履歴データ作成部１１８では、この情報を元に録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して録画機器３０へ送信する。視聴履歴データを受信した録画機器３０は、受信データを通信送受信部３０４を経由して、録画予約制御・視聴記録部３１５にて時系列的に記録する。
なお、電波状況等により録画機器３０への送信ができなかった場合には、電波状況を監視して、通信できる状態になった時点で再送するか、あるいはタイマーにより、所定の時間間隔でリトライを行い、送信完了するまで繰り返すということを行っても良い。
【００３４】
（予約なし視聴開始時および終了時の動作）
携帯通信端末１０にて予約無しに視聴を行う場合、操作部１０２からの操作にて、視聴を開始すると、視聴予約制御部１０３から視聴開始データを視聴番組録画・視聴履歴データ作成部１１８に通知し、視聴番組録画・視聴履歴データ作成部１１８がこのデータを解析し、録画機器３０への録画開始データの生成を行う。このデータを録画指示・視聴履歴制御部１１９に通知し、録画指示・視聴履歴制御部１１９では、通信送受信部１０６を制御し、録画開始データをネットワーク４０を介して録画機器３０へ送信する。
【００３５】
このデータを受信した録画機器３０は受信した情報を元に、録画予約制御・視聴記録部３１５にて処理を行い、指定の番組の録画を開始し、録画開始処理完了データを生成し、通信送受信部３０４を制御して携帯通信端末１０に送信する。携帯通信端末１０は、録画機器３０からの録画開始処理完了データを受信後、ディスプレイ１０８にて録画機器３０の録画開始表示を行うことで、ユーザに録画を開始したことを通知する。
【００３６】
さらに、視聴を開始したタイミングを記録するために時刻情報、番組情報を制御部１１０から、視聴番組録画・視聴履歴データ作成部１１８へ通知する。視聴番組録画・視聴履歴データ作成部１１８では、この情報を元に録画機器３０へ送信する視聴履歴データを生成し、録画指示・視聴履歴制御部１１９へ通知し、録画指示・視聴履歴制御部１１９では、通信送受信部１０６を制御し、視聴履歴データをネットワーク４０を介して録画機器３０へ送信する。視聴履歴データを受信した録画機器３０は、受信データを通信送受信部３０４を経由して、録画予約制御・視聴記録部３１５で受け取り、記録する。
また、上記と同様の手順で、視聴終了時も動作し、録画機器３０の録画停止処理、および、録画予約制御・視聴履歴記録部３１５にて視聴停止の記録を行う。
【００３７】
（再視聴時における録画機器の再生制御動作）
視聴を行うことが出来なかった部分について、録画機器３０にて再視聴を行う際は、外部のリモコン（図示せず）により赤外線送受信部３１３を介して再視聴指示が入力され、リモコン制御部３１２にてこの再視聴指示の解析を行い、結果を制御部３０８に通知する。制御部３０８では解析の結果に従って、再視聴を行う番組の視聴履歴を録画予約制御・視聴記録部３１５から読み出す。そして、録画予約制御・視聴記録部３１５に記録されている時刻情報、番組情報を元に、録画番組ごとに視聴できなかった時間帯を表示、選択できるようにし、ユーザーの選択に従って、視聴出来なかった場面の放送信号のみ記憶部３０８ａから復号部３０７に出力し、復号部３０７にて復号を行って、映像出力部３０５、音声出力部３０６から映像および音声を出力して視聴を行えるように制御する。
なお、録画予約制御・視聴記録部３１５の視聴記録中に視聴予約してある番組の視聴開始の記録がない場合は、制御部３０８では視聴が行われなかったと判断して記憶部３０８ａに記憶している番組の放送信号を番組開始から終了まで全て復号部３０７に出力し、全て再生するよう制御することになる。
【産業上の利用可能性】
【００３８】
本発明は、デジタルＴＶ受信機能付きの携帯通信端末に適用することができる。
【図面の簡単な説明】
【００３９】
【図１】本発明のデジタルＴＶ視聴システムの構成を示す図である。
【図２】本発明の実施の形態１に係る携帯通信端末の構成を示すブロック図である。
【図３】本発明の実施の形態１に係る録画機器の構成を示すブロック図である。
【図４】視聴予約の際の処理内容を示すフローチャートである。
【図５】視聴開始の際の処理内容を示すフローチャートである。
【図６】視聴終了の際の処理内容を示すフローチャートである。
【図７】本発明の実施の形態２に係る携帯通信端末の構成を示すブロック図である。
【図８】本発明の実施の形態２に係る録画機器の構成を示すブロック図である。
【符号の説明】
【００４０】
１０  携帯通信端末、    ２０  放送局、    ３０  録画機器、  
４０  ネットワーク、    １００  通信用アンテナ、    １０１  放送受信アンテナ、
１０２  操作部、    １０３  視聴予約制御部、    １０４  視聴番組録画制御部、
１０６  通信送受信部、    １０７  スピーカ、    １０８  ディスプレイ、
１０９  復号部、    １１０  制御部、    １１０a  記憶部、    
１１１  放送受信管理部、    １１２  放送受信部、    １１３  視聴番組取得部、
１１４  視聴履歴記録部、    １１５  リモコン操作データ作成部、
１１６  赤外線送受信部、    １１７  電源制御部、    ３００  通信アンテナ、
３０１  放送受信アンテナ、    ３０２  操作部、    ３０３  録画予約制御部、
３０４  通信送受信部、    ３０５  映像出力部、    ３０６  音声出力部、
３０７  復号部、    ３０８  制御部、    ３０８ａ  記憶部、
３０９  放送受信管理部、    ３１０  放送送受信部、    ３１１  視聴番組取得部、
３１２  リモコン制御部、    ３１３  赤外線送受信部
【図１】
2007005986.tif 000003
【図２】
2007005986.tif 000004
【図３】
2007005986.tif 000005
【図４】
2007005986.tif 000006
【図５】
2007005986.tif 000007
【図６】
2007005986.tif 000008
【図７】
2007005986.tif 000009
【図８】
2007005986.tif 000010